【手続補正書】
【提出日】平成19年7月25日(2007.7.25)
【手続補正１】
【補正対象書類名】特許請求の範囲
【補正対象項目名】全文
【補正方法】変更
【補正の内容】
【特許請求の範囲】
【請求項１】
電池の電圧、電流または温度の少なくとも１つが、所定のしきい値に達しているか否かを検出する電池状態検出装置であって、
上記所定のしきい値を設定する設定情報を記憶し、当該設定情報の書き換えが可能であるとともに、電源がオフの状態で当該設定情報の保持が可能である記憶回路と、
上記記憶回路から上記設定情報が供給され、上記電池の電圧、電流または温度が、上記所定のしきい値に達しているか否かを検出する検出回路と、
上記検出回路を用いて上記所定のしきい値を設定する設定情報を取得し、当該取得された設定情報を上記記憶回路に記憶させ、上記記憶回路から当該設定情報を上記検出回路に供給する制御回路と、
を有する電池状態検出装置。
【請求項２】
上記制御回路は、しきい値が単調に増加または減少するように上記設定情報を順次変更して上記検出回路に供給し、上記検出回路の検出結果に基づいて上記所定のしきい値を設定する設定情報を取得する、
請求項１に記載の電池状態検出装置。
【請求項３】
上記検出回路は、
上記電池の電圧、電流または温度に応じたレベルを有し、上記設定情報に応じて当該レベルが調節される検出信号を生成する検出信号生成回路と、
上記検出信号のレベルと供給される基準信号のレベルとを比較する比較回路とを含む、
請求項１に記載の電池状態検出装置。
【請求項４】
上記検出信号生成回路は、上記設定情報に応じて調節される分圧比をもって上記電池の電圧を分圧する分圧回路を有しており、
上記比較回路は、上記分圧回路において分圧された電圧と供給される基準電圧とを比較する、
請求項３に記載の電池状態検出装置。
【請求項５】
上記検出信号生成回路は、
上記電池の電流が流れる電流経路と、
上記電流経路に発生する電圧を、上記設定情報に応じて調節される増幅率をもって増幅する増幅回路と、
を含んでおり、
上記比較回路は、上記増幅回路において増幅された電圧と供給される基準電圧とを比較する、
請求項３に記載の電池状態検出装置。
【請求項６】
上記電流経路は、抵抗を有する電気配線で構成される、
請求項５に記載の電池状態検出装置。
【請求項７】
上記検出信号生成回路は、
上記電池の温度に応じて抵抗値が変化する第１の抵抗、および、上記設定情報に応じて抵抗値が設定される第２の抵抗を含んだ抵抗回路と、
上記抵抗回路に一定の電圧または電流を供給する回路と、
を含んでおり、
上記比較回路は、上記抵抗回路において発生する電圧と供給される基準電圧とを比較する、
請求項３に記載の電池状態検出装置。
【請求項８】
上記検出回路は、
上記電池の電圧、電流または温度に応じたレベルを有する検出信号を生成する検出信号生成回路と、
上記設定情報に応じて調節されたレベルを有する基準信号を生成する基準信号生成回路と、
上記検出信号のレベルと上記基準信号のレベルとを比較する比較回路とを含む、
請求項１に記載の電池状態検出装置。
【請求項９】
上記検出信号生成回路は、上記電池の電圧を分圧する分圧回路を有しており、
上記基準信号生成回路は、上記設定情報に応じて調節されたレベルを有する基準電圧を生成し、
上記比較回路は、上記分圧回路において分圧された電圧と上記基準電圧とを比較する、
請求項８に記載の電池状態検出装置。
【請求項１０】
上記検出信号生成回路は、
上記電池の電流が流れる電流経路と、
上記電流経路に発生する電圧を増幅する増幅回路と、
を含んでおり、
上記基準信号生成回路は、上記設定情報に応じて調節されたレベルを有する基準電圧を生成し、
上記比較回路は、上記増幅回路において増幅された電圧と上記基準電圧とを比較する、
請求項８に記載の電池状態検出装置。
【請求項１１】
上記電流経路は、抵抗を有する電気配線で構成される、
請求項１０に記載の電池状態検出装置。
【請求項１２】
上記検出信号生成回路は、
上記電池の温度に応じて抵抗値が変化する第１の抵抗を含んだ抵抗回路と、
上記抵抗回路に一定の電圧または電流を供給する回路と、
を含んでおり、
上記基準信号生成回路は、上記設定情報に応じて調節されたレベルを有する基準電圧を生成し、
上記比較回路は、上記抵抗回路において発生する電圧と上記基準電圧とを比較する、
請求項８に記載の電池状態検出装置。
【請求項１３】
上記記憶回路は、上記電池の複数の温度に対応した複数のしきい値の設定情報を記憶しており、
上記制御回路は、上記検出回路に対し、上記複数の温度に対応する複数の温度しきい値の設定情報を供給して温度の検出を実行させ、当該検出の結果に基づいて、上記電池の温度が上記複数の温度しきい値で規定される複数の温度範囲の何れに属しているかを判定し、上記記憶回路に記憶される複数の設定情報から、上記判定結果の温度範囲に対応する設定情報を選択して上記検出回路に供給し、当該設定情報に応じた電圧および／または電流の検出を実行させる、
請求項１に記載の電池状態検出装置。
【請求項１４】
電池の電圧、電流または温度の少なくとも１つが、所定のしきい値に達しているか否かを検出し、当該検出結果に応じて上記電池の充電を制御する充電装置であって、
上記所定のしきい値を設定する設定情報を記憶し、当該設定情報の書き換えが可能であるとともに、電源がオフの状態で当該設定情報の保持が可能である記憶回路と、
上記記憶回路から上記設定情報が供給され、上記電池の電圧、電流または温度が、上記所定のしきい値に達しているか否かを検出する検出回路と、
上記検出回路を用いて上記所定のしきい値を設定する設定情報を取得し、当該取得された設定情報を上記記憶回路に記憶させ、上記記憶回路から当該設定情報を上記検出回路に供給する制御回路と、
を有する充電装置。
【手続補正２】
【補正対象書類名】明細書
【補正対象項目名】０００７
【補正方法】変更
【補正の内容】
【０００７】
本発明における第１の発明は、電池の電圧、電流または温度の少なくとも１つが、所定のしきい値に達しているか否かを検出する電池状態検出装置であって、上記所定のしきい値を設定する設定情報を記憶し、当該設定情報の書き換えが可能であるとともに、電源がオフの状態で当該設定情報の保持が可能である記憶回路と、上記記憶回路から上記設定情報が供給され、上記電池の電圧、電流または温度が、上記所定のしきい値に達しているか否かを検出する検出回路と、上記検出回路を用いて上記所定のしきい値を設定する設定情報を取得し、当該取得された設定情報を上記記憶回路に記憶させ、上記記憶回路から当該設定情報を上記検出回路に供給する制御回路と、を有する。
【手続補正３】
【補正対象書類名】明細書
【補正対象項目名】０００９
【補正方法】変更
【補正の内容】
【０００９】
上記本発明では、上記制御回路は、しきい値が単調に増加または減少するように上記設定情報を順次変更して上記検出回路に供給し、上記検出回路の検出結果に基づいて上記所定のしきい値を設定する設定情報を取得しても良い。そのため、例えば上記検出回路と電池とを配線して組み立てた後に、この配線組み立ての影響を加味した精度の高いしきい値の設定情報を上記記憶回路に書き込んで、検出精度の向上を図ることが可能になる。また、この精度の高い検出結果を用いて、所望の充電条件に正確に適合させながら電池の充電を行うことにより、電池の能力を十分に引き出すことが可能になる。
【手続補正４】
【補正対象書類名】明細書
【補正対象項目名】００１０
【補正方法】変更
【補正の内容】
【００１０】
なお、上記検出回路は、上記検出回路は、上記電池の電圧、電流または温度に応じたレベルを有し、上記設定情報に応じて当該レベルが調節される検出信号を生成する検出信号生成回路と、上記検出信号のレベルと供給される基準信号のレベルとを比較する比較回路とを含んでも良い。
この場合、電池の電圧を検出するため、上記検出信号生成回路は、上記設定情報に応じて調節される分圧比をもって上記電池の電圧を分圧する分圧回路を有しても良く、上記比較回路は、上記分圧回路において分圧された電圧と供給される基準電圧とを比較しても良い。
また、電池の電流を検出するため、上記検出信号生成回路は、上記電池の電流が流れる電流経路と、上記電流経路に発生する電圧を、上記設定情報に応じて調節される増幅率をもって増幅する増幅回路と、を含んでも良く、上記比較回路は、上記増幅回路において増幅された電圧と供給される基準電圧とを比較しても良い。
上記電流経路は、抵抗素子を用いて構成しても良いし、あるいは、抵抗を有する電気配線で構成しても良い。上記電流経路を電気配線で構成することにより、抵抗素子を省略することが可能になり、回路構成が簡略化される。
更には、電池の温度を検出するため、上記検出信号生成回路は、上記電池の温度に応じて抵抗値が変化する第１の抵抗、および、上記設定情報に応じて抵抗値が設定される第２の抵抗を含んだ抵抗回路と、上記抵抗回路に一定の電圧または電流を供給する回路と、を含んでも良く、上記比較回路は、上記抵抗回路において発生する電圧と供給される基準電圧とを比較しても良い。
【手続補正５】
【補正対象書類名】明細書
【補正対象項目名】００１１
【補正方法】変更
【補正の内容】
【００１１】
また、上記検出回路は、上記電池の電圧、電流または温度に応じたレベルを有する検出信号を生成する検出信号生成回路と、上記設定情報に応じて調節されたレベルを有する基準信号を生成する基準信号生成回路と、上記検出信号のレベルと上記基準信号のレベルとを比較する比較回路とを含んでも良い。
この場合、電池の電圧を検出するため、上記検出信号生成回路は、上記電池の電圧を分圧する分圧回路を有しても良く、上記基準信号生成回路は、上記設定情報に応じて調節されたレベルを有する基準電圧を生成しても良く、上記比較回路は、上記分圧回路において分圧された電圧と上記基準電圧とを比較しても良い。
また、電池の電流を検出するため、上記検出信号生成回路は、上記電池の電流が流れる電流経路と、上記電流経路に発生する電圧を増幅する増幅回路と、を含んでも良く、上記基準信号生成回路は、上記設定情報に応じて調節されたレベルを有する基準電圧を生成しても良く、上記比較回路は、上記増幅回路において増幅された電圧と上記基準電圧とを比較しても良い。上記電流経路には、抵抗素子を用いても良いし、配線等の抵抗成分で抵抗素子を代用しても良い。
更には、電池の温度を検出するため、上記検出信号生成回路は、上記電池の温度に応じて抵抗値が変化する第１の抵抗を含んだ抵抗回路と、上記抵抗回路に一定の電圧または電流を供給する回路と、を含んでも良く、上記基準信号生成回路は、上記設定情報に応じて調節されたレベルを有する基準電圧を生成しても良く、上記比較回路は、上記抵抗回路において発生する電圧と上記基準電圧とを比較しても良い。
【手続補正６】
【補正対象書類名】明細書
【補正対象項目名】００１２
【補正方法】変更
【補正の内容】
【００１２】
また、上記記憶回路は、上記電池の複数の温度に対応した複数のしきい値の設定情報を記憶しても良い。この場合、上記制御回路は、上記検出回路に対し、上記複数の温度に対応する複数の温度しきい値の設定情報を供給して温度の検出を実行させ、当該検出の結果に基づいて、上記電池の温度が上記複数の温度しきい値で規定される複数の温度範囲の何れに属しているかを判定し、上記記憶回路に記憶される複数の設定情報から、上記判定結果の温度範囲に対応する設定情報を選択して上記検出回路に供給し、当該設定情報に応じた電圧および／または電流の検出を実行させても良い。
上記の構成によると、上記制御回路から上記検出回路に対して、上記複数の温度に対応する複数の温度しきい値の設定情報が供給され、上記検出回路において、当該供給される設定情報に応じたしきい値により温度の検出が実行される。上記制御回路では、当該温度の検出の結果に基づいて、電池の温度が上記複数の温度しきい値で規定される複数の温度範囲の何れに属しているかの判定が行われる。そして、上記制御回路において、上記記憶回路に記憶される複数の設定情報から、上記判定結果の温度範囲に対応する設定情報が選択されて、上記検出回路に供給される。上記検出回路では、当該供給される設定情報に応じたしきい値により電圧および／または電流の検出が実行される。
これにより、電圧検出や電流検出のしきい値を温度に応じて適切に変更することが可能になり、検出精度を更に向上させることが可能になる。